(57)【要約】【課題】障子パネル（窓ガラス）を閉めた状態で隣合う障子パネルを同一平面上に配設し、さらに障子パネルを摺動させるレールが露出しない構造として、隣合う障子パネルの高さ方向の大きさが同じになるようなレール構造をもつ窓構造を提供する。【解決手段】障子パネル２，３を摺動させるレールを上下に備えたサッシであって、前記レールのうち移動手段を備えていない障子パネル用の上レールの取り付け位置を、前記障子パネル２の最後部より低い位置に配置する。【選択図】図８
2007113361.tif 000002
【特許請求の範囲】
【請求項１】
枠と複数の障子パネルからなり、前記障子パネルを摺動させる複数のレールを前記枠の上下にそれぞれ備え、
前記レールのうち少なくとも１つ以上のレールは移動手段を備え、前期移動手段を備えた障子パネル用のレールを障子パネル面に略垂直な方向に障子パネルと共に移動した後に、前記障子パネルを、前記移動手段を備えた障子パネル用のレールに平行な方向に摺動し開閉するレール構造と、移動手段を備えていない上下１組のレールと前記移動手段を備えていないレール上を摺動する障子パネルを備えたレール構造とを備えた窓構造であって、
前記移動手段を備えていない障子パネル用のレールを構成する上レールは、前記移動手段を備えていないレール上を摺動する障子パネルの最高部より低い位置に設置されたことを特徴とする窓構造。
【請求項２】
前記移動手段を備えていない上下１組のレールを構成する上レールは前記枠に配置され、前記移動手段を備えていないレール上を摺動する障子パネルに対して、室内側に設置されたことを特徴とする請求項１記載の窓構造。
【請求項３】
前期移動手段を備えたレール上を摺動する障子パネルを構成する透明板状体の高さと、前記移動手段を備えていないレール上を摺動する障子パネルを構成する透明板状体の高さとが、略同じであることを特徴とする請求項１，２記載の窓構造。
【発明の詳細な説明】
【技術分野】
【０００１】
本発明は、建物に取付けられる障子パネルの窓用サッシからなる窓構造に関する。
【背景技術】
【０００２】
建物に取付けられる引き違いの障子パネル（可動する窓ガラス）は、２本のレールを備えた矩形枠体状の枠の各レールに１枚ずつ取付けられる。この障子パネルはレールに沿って摺動して開閉される。このような枠と障子パネルとからなるサッシは、２本のレールを並列して形成するための幅が必要となり、そのための建物外壁におけるサッシの設置面積が必要となる。また、障子パネルを閉めた状態では、２枚の障子パネルは必ず段違いになるとともに、障子パネルが乗っていない部分のレールが露出する。このため、見栄えが悪く、また埃やゴミ等がこの部分に溜まりやすくなり、清掃を頻繁に行う必要がある。このサッシの下側に溜まる埃等の清掃作業は特に面倒である。
【０００３】
障子パネルを閉めた状態のときに２枚の障子パネルを同一平面上にして、開放時には互いに引き違えることができる同面引き違いサッシが特許文献１に記載されている。この同面引き違いサッシは、外障子を下案内レールに沿って移動させ、内障子を上案内レールに沿って移動させ、内障子の上案内レールを屈曲させて障子パネルを閉めたときに内障子と外障子を同一平面上にするものである。しかし、特許文献１に記載の同面引き違いサッシは、開閉時に内障子の下側をガイドするため、サッシ下側の室内寄りに下案内溝を形成する。このため、障子パネルを閉めたときにこの下案内溝が室内側に露出し、見栄えが悪く、また埃やゴミ等がこの溝に溜まり清掃作業が困難である。また、レールや下案内溝を屈曲させる必要があるためサッシの加工が面倒であり手間がかかる。さらに内障子と、この屈曲したレールや下案内溝を連結するために特殊な金具が必要となるので、構造が複雑となり取付け作業に熟練を要する。
【０００４】
【特許文献１】特開平３−１７３６９号公報
【発明の開示】
【発明が解決しようとする課題】
【０００５】
本発明は、上記従来技術を考慮したものであり、障子パネルを閉めた状態で隣合う障子パネルを同一平面上に配設し、さらに障子パネルを摺動させるレールが露出しない構造として、見栄えがよく、清掃作業が簡単となり、構造が簡単で障子パネルの取付け作業も簡単な窓構造であり、更に、特に隣り合う障子パネルの高さを略同じ、また透明板体の高さを略同じとし、意匠性を高めた窓構造を提供する。
【０００６】
なお、本発明においては、ＪＩＳ  Ａ  ０００５に規定される開口部構成材として規定されている用語を基準にして用い、サッシとは、枠（開口壁材に接するもの、レールを含む）と、戸（主にサッシの可動部分）からなり、戸の１つの種類として障子（障子パネル）がある。つまり、本発明のサッシとは、枠と障子パネルからなる。また、障子パネルは透明板状体と透明板状体を囲む框（上框、下框、縦框）で構成される。
【課題を解決するための手段】
【０００７】
前記目的を達成するため、請求項１の発明では、枠と複数の障子パネルからなり、前記障子パネルを摺動させる複数のレールを前記枠の上下にそれぞれ備え、前記レールのうち少なくとも１つ以上のレールは移動手段を備え、前期移動手段を備えた障子パネル用のレールを障子パネル面に略垂直な方向に障子パネルと共に移動した後に、前記障子パネルを、前記移動手段を備えた障子パネル用のレールに平行な方向に摺動し開閉するレール構造と、移動手段を備えていない上下１組のレールと前記移動手段を備えていないレール上を摺動する障子パネルを備えたレール構造とを備えた窓構造であって、前記移動手段を備えていない障子パネル用のレールを構成する上レールは、前記移動手段を備えていないレール上を摺動する障子パネルの最高部より低い位置に設置されたことを特徴とする窓構造を提供する。
【０００８】
請求項２の発明は、請求項１の発明において、前記移動手段を備えていない上下１組のレールを構成する上レールは前記枠に配置され、前記移動手段を備えていないレール上を摺動する障子パネルに対して、室内側に設置されたことを特徴としている。
【０００９】
請求項３の発明では、請求項２の発明において、前期移動手段を備えたレール上を摺動する障子パネルを構成する透明板状体の高さと、前記移動手段を備えていないレール上を摺動する障子パネルを構成する透明板状体の高さが、略同じであることを特徴としている。
【発明の効果】
【００１０】
請求項１の発明によれば、サッシに備わるレールが移動手段を備え、障子パネル面に略垂直な方向に移動可能であるため、窓を開けるときには、レールを建物外壁の外側又は内側にずれた状態に移動して障子パネルを開放できる。また、障子パネルを閉めたときに、レールを元に戻して建物外壁と揃えることにより障子パネルを建物外壁と同一平面上にして障子パネルを閉じることができ、優れた外観を得ることができる。また、レール自体が移動可能であるため、障子パネルを移動させるために、移動手段を備えたレール側では、レールと障子パネル間に特殊な金具等を必要としないため構造が簡単である。また、前記レールと前記障子パネルの取付構造は従来と同様の構造であるため、障子パネルの取付けに際し熟練を要することはない。
【００１１】
更に、前記移動手段を備えていない上下１組のレールを構成する上レールが前記移動手段を備えていないレール上を摺動する障子パネルの最高部より低い位置に設置されることにより、前記移動手段を備えていないレール上を摺動する障子パネルの上框部分の高さを低く抑えることができ、移動手段を備えたレールを収納する空間を広くすることができる。このために設計の自由度が上がり、また、移動手段を備えたレールの強度を上げ大型の障子パネルを備えることができる。
【００１２】
請求項２の発明によれば、前記移動手段を備えていない上下１組のレールを構成する上レールは前記枠に配置され、前記移動手段を備えていないレール上を摺動する障子パネルに対して、室内側に設置されているために、外側からは障子パネルの上框に上レールは隠れ意匠性が高く、また、室内側からは枠の影に上レールが隠れ意匠性が高く見栄えの良い窓構造を提供できる。
【００１３】
請求項３の発明によれば、前期移動手段を備えたレール上を摺動する障子パネルを構成する透明板状体の高さと、前記移動手段を備えていないレール上を摺動する障子パネルを構成する透明板状体の高さが、略同じであることを特徴としている。また、複数枚の障子パネルで同じ高さの透明板状体が使えるために、透明板状体高さの加工作業が低減でき加工性や施工費用の低減が行える。
【発明を実施するための最良の形態】
【００１４】
図１に本発明に係る窓構造を建物に取付けた状態を室外側から見たときの概略図を示す。なお、障子パネルが２枚の場合を示すが、この構成に限定するものではない。
【００１５】
略矩形体のサッシの枠１には障子パネル２，３が取付けられ、障子パネル２，３は、框４，５内にガラスが嵌められている。枠１は、建物に取付けられる。本発明のサッシでは、障子パネル２，３を閉じた状態で、障子パネル２，３が同一平面上となるため、建物外壁１０と枠１の外側表面および障子パネル２，３を同一平面上とすることができ、見栄えのよい外観となる。また、障子パネル２，３の高さはほぼ同じ大きさであり、障子パネル内の透明板状体であるガラスの高さも２枚とも同じ高さで、見栄えのよい外観とすることができる。ここで透明板状体はガラスの例を示したが、ポリカーボネート、アクリルからなる樹脂製の透明板状体でも構わない。
【００１６】
枠１は上下１ａ，１ｂは固定枠６（固定枠の上部６ａ，固定枠の下部６ｂ）と可動枠７（可動枠の上部７ａ，可動枠の下部７ｂ）で構成される。上下の固定枠および可動枠６ａ，６ｂ，７ａ，７ｂにはそれぞれ後述するようにレールが備わり、このレールに障子パネル２，３が取付けられる。このレールに沿って障子パネル２，３は摺動する。また、可動枠７（７ａ，７ｂ）は必要に応じ７ａと７ｂが縦枠（図示されない）で結合される。障子パネルが大きいときなど可動枠に強度を求めるときは、７ａと７ｂとその両端部に縦枠をそれぞれ設置し、矩形型の可動枠にすることが好ましい。
【００１７】
図２（ａ）、（ｂ）、（ｃ）は本発明に係る窓構造を用いて障子パネルが開放する状態を順番に示す概略図である、なお、図２は図１のＡ−Ａ’断面を上から見た状態を示す。なお、ここでは、障子パネルの框部分、および固定枠６上のレールは省略した。
【００１８】
（ａ）は２枚の障子パネルを閉じた状態である。（ａ）において、押圧手段により障子パネル３を室外側に押すことにより、これに伴い可動枠７は外側に障子パネル３と共に移動する。これにより、（ｂ）に示すように可動枠７と固定枠６が段違いとなる。押圧手段は直接ガラスを押圧してもよいし、可動枠７を押圧し障子パネル３を押し出してもよい。（ｃ）に示すように障子パネル３は可動枠７に備わるレール８に沿って摺動することができ（図（ｃ）では右に移動した）、障子パネルが開放される。また、障子パネル２は固定枠６に備わるレールに沿って摺動が可能である。
（ａ）のように障子パネル２，３を閉じた状態で、障子パネル３を室内側に引き込むことにより、障子パネル３のレール（図示せず）とともに上下の可動枠７が室内側に引き込み、建物外壁面は図１に示すように同一平面となる。
【００１９】
図３は図２（ａ）のＢ−Ｂ’断面図を示したものである。障子パネルの上部では可動枠７が室内側に引き込まれた状態を表している。可動枠７ａは固定枠６ａの外側部（図では左部）で接して平面性を出している。障子パネル３は可動枠７に収まっており、障子パネル３は可動枠上のレール８上に摺動可能なように配置されている。ここでは、枠上にレールがあり、障子パネル下部側に溝部があり、レールと溝が係合されるが、レールと溝の位置関係が逆でもよい。
上部の可動枠７ａではコの字状形状に開放部が下向きに開いた溝部分に障子パネル３が配置され、障子パネル３を摺動可能にする。ここでは、可動枠７ａ内に溝があり、障子パネルの上框自身がレールとなり係合しているが、レールと溝の位置関係が逆でもよい。障子パネル３の下部では図示されない戸車で可動枠７ｂが固定枠６ｂ上に配置されている。
【００２０】
図４は図２（ａ）のＣ−Ｃ’断面図を示したものである。障子パネル２の上框の最上部（Ｘ−Ｘ’）から障子パネル２に垂直に室内側に向かって上框と一体になった延長部１１が延び、障子パネル２の室内側面と一定の空間を形成し溝部１２を形成するように延長部は下方に屈曲している。この溝部１２で、固定枠６の下部から障子パネル２側に延伸され上方に向かい、かつ障子パネル２の最高部（Ｘ−Ｘ’）より低い位置に設置された上レール９と摺動可能なように係合される。このため、可動枠７、固定枠６と障子パネル３が室外側の面で同一平面となる。
【００２１】
図５は図２（ｂ）のＤ−Ｄ’断面図を示したものである。障子パネル３と可動枠７は移動手段により外側に移動されている。ここでは移動手段は、可動枠７ｂの下辺部に設置された戸車（図示せず）が固定枠下部の水平部分１３を移動する手段であるが、この移動手段に限定されるものではない。
【００２２】
図６は図２（ｂ）のＥ−Ｅ’断面図を示したものである。可動枠７が障子パネル２の室外側の面より室外側に移動手段により移動されている。障子パネル２より可動枠７が外側にあるために、図８で後述する可動枠７上を障子パネル３が移動することができる。
【００２３】
図７は図２（ｃ）Ｆ−Ｆ’断面図を示したものである。障子パネル３が障子パネル２と並行な方向に移動し、窓構造の障子パネルが開放した状態を表わす。この開放部分をより、窓構造からの人の出入り、外気の取入れなどができる。
【００２４】
図８は図２（ｃ）Ｇ−Ｇ’断面図を示したものである。可動枠７ａと障子パネル３が、障子パネル２の室外側の面より室外側に移動手段により移動されている。障子パネル２より可動枠７ａが外側にあるために、障子パネル３は障子パネル２と衝突を起さない。
障子パネル２の最高部（Ｘ−Ｘ’）より低い位置に設置された上レール９と摺動可能なように障子パネル２の溝は係合されているために、障子パネル２の上部に障子パネル摺動用のレールを必要としない。このために、本発明では障子パネル２直上のスペースに可動枠７が収まる点、つまり、障子パネル２上部に障子パネル２の上框を係合されるレールがないために可動枠７ａと障子パネル２の距離を近くできる点、また、可動枠７ａ内には障子パネル摺動用の溝部が設置されており、この摺動用の溝部内に障子パネル３の上框が摺動可能なように係合されている点の２点により、移動手段を備えたレール上の障子パネル３と移動手段を備えていないレール上の障子パネル２は、ほぼ同じ高さとすることができる。そして、各障子パネルに設置される透明板状体の高さも統一したものを使用することができる。このために、室内側から見た場合に、２枚の透明板状体の高さが同じあり意匠性に優れる。また外側から見た場合、２枚の障子パネルの高さは略同じであり、かつ２枚の透明板状体も同じ高さであるため意匠性に優れる。また、複数枚の障子パネルで同じ高さの透明板状体が使えるために、透明板状体高さの加工作業が低減でき加工性や施工費用の低減が行える。
【産業上の利用可能性】
【００２５】
本発明は、住宅や高層建物に取付ける窓枠用サッシとして適用でき、特に室内側、室外側からの両側から見た意匠性に優れた窓構造を提供する。
【図面の簡単な説明】
【００２６】
【図１】本発明に係る窓構造を建物に取付けた状態を室外側から見たときの概略図。
【図２】本発明に係る窓構造を用いて障子パネルが開放する状態を順番に示す概略図。
【図３】図２のＢ−Ｂ’を示す断面図。
【図４】図２のＣ−Ｃ’を示す断面図。
【図５】図２のＤ−Ｄ’を示す断面図。
【図６】図２のＥ−Ｅ’を示す断面図。
【図７】図２のＦ−Ｆ’を示す断面図。
【図８】図２のＧ−Ｇ’を示す断面図。
【符号の説明】
【００２７】
１：枠、
２：障子パネル（移動手段を備えていないレール上を摺動する障子パネル）、
３：障子パネル（移動手段を備えたレール上を摺動する障子パネル）、
４：框、
５：框、
６（６ａ、６ｂ）：固定枠（固定枠の上部６ａ，固定枠の下部６ｂ）、
７（７ａ、７ｂ）：可動枠（可動枠の上部７ａ，可動枠の下部７ｂ）、
８：下レール、
９：上レール
１０：建物外壁、
１１：延長部、
１２：溝部（移動手段を備えないレール上の障子パネルに対する溝部）、
１３：水平部、
１４：溝部（移動手段を備えたレール上の障子パネルに対する溝部）。
【図１】
2007113361.tif 000003
【図２】
2007113361.tif 000004
【図３】
2007113361.tif 000005
【図４】
2007113361.tif 000006
【図５】
2007113361.tif 000007
【図６】
2007113361.tif 000008
【図７】
2007113361.tif 000009
【図８】
2007113361.tif 000010